(57)【要約】      （修正有）【課題】かつらでは、ばれるのではないか、不自然ではないか、むれるのではないか等の理由で、つけることに抵抗感を持たれている方が多いのが現実です。そのため、種々の増毛法は提案されていますが、それらの大部分は、地毛に結び付ける増毛部材を２〜１０本程度としており、地毛の少ない方での増毛効果には限りがあり、増毛作業の能率も、結果的に増毛1本あたりのコストも高くなります。【解決手段】化繊毛や耐熱毛を材料とし、最初に1本の毛を２本に、２本の毛を４本とし、その後、棒状部材４に着けた４本の毛束の根本を固く結び、１次毛２とします。根本を固結びすることにより、地毛につける結着部分の大きさが変わらなくなります。つぎに、１次毛に２次毛を同様の方法でつけていき、複数の２次毛３を数珠状につけることをくりかえした後に、２次毛の外側で、４本の１次毛をもう一度一度固く結びます。【選択図】図５
2015014075.tif 000002
【特許請求の範囲】
【請求項１】
数本の毛の２つ折りにし、２つ折りにした部分近傍をリング状として１次毛とし、その１次毛にさらに２次毛を結束固定することを特徴とした増毛部材。
【請求項２】
２本の毛より、１次毛を４本とすることを特徴とした請求項1に記載の増毛部材。
【請求項３】
２次毛を１０〜６０本とした請求項１または請求項２に記載の増毛部材。
【請求項４】
１次毛の束を１〜４を分割して、おのおのに２次毛を結束固定することを特徴とした請求項１〜３のいずれかに記載の増毛部材。
【請求項５】
棒状部材に毛を取り付け、固結びをして地毛に取り付けるためのリング状の部分を作り１次毛とし、その部分に隣接して１次毛に２次毛のリング状部分を取り付け、さらに隣接して１次毛を固結びして固定することを特徴とした増毛部材の製造方法。
【発明の詳細な説明】
【技術分野】
【０００１】
本発明は、毛髪業界で言う増毛と言われている、地毛に増毛用の毛髪を結びつける部材およびその製造方法に関するものです。なお、増毛用の毛髪は、人毛、人工毛のいずれでも使用可能です。
【背景技術】
【０００２】
世の中には薄毛で悩んでいる方が多くいます。しかし、かつらではばれるのではないか、不自然ではないか、むれるのではないか等の理由で、つけることに抵抗感を持たれている方が多いのが現実です。そのため、大手のメーカーを初めてとして、種々の増毛法が提案されています。それらの大部分は、地毛に結び付ける増毛部材を２〜１０本程度としており、地毛の少ない方での増毛効果には限りがあります。また、増毛作業の能率も、もう一歩であり、結果的に増毛1本あたりのコストも高くなっています。
【先行技術文献】
【特許文献】
【０００３】
【特許文献１】特開平５−１５６５０６号公報
【発明の概要】
【発明が解決しようとする課題】
【０００４】
地毛の残量が少なくなってもかつらに抵抗のある人はたくさんいます。一方、植毛は直接頭皮に人工毛を植え付けるものなので、必然的にある程度の危険を伴います。増毛法には、そのような欠点がありませんが、地毛の残量が少ない方に対して、従来の方法では、増毛部材を多く結びつけることはできません。そう考えますと、1本の地毛に多数の増毛をつける方法しかありません。しかし、各メーカーで行っています、１０本位の増毛部材の場合は地毛の残量の少ない方には限度があります。また、仮に大幅に増やして40本程度とした場合には増毛の決着部分が大きくなり、分かりやすく、不自然になってしまいます。図１４は従来の技術による場合であり、たとえば、２０本とか、４０本の場合では結着部分の大きさが著しく大きくなってしまいます。
【課題を解決するための手段】
【０００５】
本発明は、先に述べましたような問題点の解決を目指すもので、40本程度までの多数の毛束を結着部を目立たない状態で自由に作る増毛部材を提供するものです。
本発明は、地毛の少ない方でも増毛という方法で髪を多く、スピーデイーに増やすことを目的とする増毛部材の作り方で、結着部分を小さくわからないように作り、お客様の頭髪の状態にあわせ、増毛部材の本数を自在に変えられるための増毛部材、およびその作り方であり、
第１の発明は、数本の毛の２つ折りにし、２つ折りにした部分近傍をリング状として１次毛とし、その１次毛にさらに２次毛を結束固定した増毛部材です。
第２の発明は、第１の発明において、２本の毛より、１次毛を４本とした増毛部材です。
第３の発明は、第１および第２の発明において、２次毛を１０〜６０本とした増毛部材です。
第４の発明は、第１〜第３のいずれかの発明において、１次毛の束を１〜４を分割して、おのおのに２次毛を結束固定した増毛部材です。
１次毛の束を１〜４を分割して、おのおのに２次毛を結束固定することを特徴とした請求項１〜３のいずれかに記載の増毛部材。
第４の発明は、棒状部材に毛を取り付け、固結びをして地毛に取り付けるリング状の部分を作り１次毛とし、その部分に隣接して１次毛に２次毛のリング状部分を取り付け、さらに隣接して１次毛を固結びして固定する増毛部材の製造方法です。
【発明の効果】
【０００６】
地毛の残量の少ない方でも、２０本の増毛部材で施工すれば１時間で１００ケ所付けて、２０００本、４０本の増毛部材で施工すれば４０００本を増す事が可能になります。
本来、増毛とは１本の地毛に毛束を付けることを言いますが、メーカーによってはかつらのようなベースのあるものでも、増毛と言っているメーカーもあります。本発明の増毛技術で、髪でお悩みの方にもお答えできることが可能になりました。
【発明を実施するための形態】
【０００７】
以下に２０本〜４０本の増毛部材１の作り方を説明します。まず、図１にしめしましたように、化繊毛、耐熱毛を材料とし、最初に1本の１次毛２を２本に、２本の１次毛２を４本にして増毛部材１を作ります。耐久性を考えた場合、基本的には２本の毛で、４本の毛束を作る方法が実用性に優れていますが、これに限るものではありません。しかし、１本の毛を２本にした場合では、強度が十分でない可能性があり、また、太さが十分ではありません。3本の毛を用いて6本にした場合や、４本の毛を用いて８本にする場合は、耐久性は高くなりますが、根本の決着部が太くなり不自然になってしまいます。よって、4本に作った場合がより自然で耐久性にも優れているかと思います。
毛束を図２に示しますように、棒状部材４に付けます。棒状部材４には、細い棒、または、ストローが適しています。ここまでは、各メーカーでも作っていると思われます。ここからが、本発明の方法になりますが、まず、４本の毛束で説明をしていきます。図３に示しますように、まず、第１に４本の１次毛２の束の根本を一度固く結びます。
【０００８】
例として図４に、４０本の作り方を説明します。図に示しますように、棒に着けた４本の毛束の根本を固く結び、１次毛２とします。根本を固結びすることにより、地毛につけるリング部分２１の大きさが変わらなくなります。通常の作り方では、リング部分２１が大きくなってしまいます。
１次毛に棒状部材の役割をもたせ、図２にしめしました方法と同様の方法により、２次毛３を１次毛２につけていきます。３本の毛を用いて６本の２次毛３にし、これを、固結びをしつつ、数球状に６束をつけ、数球状につけた６束をサンドイッチ状に固結びをすることにより、３６本の毛束が固定でき、数球部分が髪を立ち上げる効果を出します。なお、２次毛の固結び部分は図示していません。
【０００９】
以上、この仕組みにより、４０本の増毛部材を作ることを可能としました。２０本の増毛部材を作る場合は、２本の毛を棒状部材に着け元となる４本の１次毛２を作り、、４本の１次毛２の根本を固結びします。４本の２次毛３の束を４ケ所作り数球上に着けていきます。着けたらもう一度、固結びをして固定します。この状態を図５に示しました。
以上に、２０本、４０本の作り方を例にしましたが、２本、４本、６本の毛束を数珠状に結びつけることにより、結着部が目立たず、いろいろな本数の増毛部材を作る事を可能としました。
【００１０】
図６にも、1次毛の作り方を示しました。１つ目は１本の髪を2本に作る方法、2つ目は2本の髪を4本に作る方法、3つ目は3本の髪を6本に作る方法です。もっと増やすことも出来ますが根元の結着部が大きくなってしまい、不自然になってしまいます。2本に作った場合は根元の結着部は小さく自然になりますが、髪が切れやすくなり耐久性が低くなります。逆に6本に作った場合、耐久性は高くなりますが根元の結着部が大きくなり不自然になってしまいます。よって、4本に作った場合がより自然で耐久性に優れているかと思います。
【００１１】
１次毛につける2次毛の作り方も同様です。2本、4本、6本と作れます。それ以上は1次毛同様、結着部が大きくなり不自然になってしまいます。また、2次毛の場合4本又、6本に作るとやはり結着部が大きく目立ちやすくなることと、ブラシで解く際引っ掛かりやすくなる為、2次毛に関しては2本に作るのがよいと思います。図７にに2次毛の作り方を示しました。図には１次毛に2次毛をつける方法を示しました。
【００１２】
1次毛は4本がよいと申しましたが、1次毛を2本や6本にして、2次毛をつけていくことは可能です。ここで4本の1次毛につける方法を説明します。この場合も3種類の方法があります。図９の１つ目は1次毛4本の髪を1本ずつに分けてつける方法、２つ目は4本の髪を2本ずつの束にしてつける方法、３つ目は4本の髪をそのまま4本の束にしてつける方法です。1本につけていく方法は負担が大きく切れやすい傾向があり、4本の束につけていく方法は仮に40本の部材を作る場合に数珠部分が長くなってしまい不自然に見える可能性があります。そのため、4本の髪を2本ずつの束に分けてつけるのが、より自然で耐久性に優れています。
【００１３】
図１０に1次毛を2本ずつの束に分けた場合の40本の作り方を示しました。1次毛が4本の束なので2次毛36本をつけていきます。左右に2次毛9束をつけ、片側18本、両側で36本、計40本の部材が出来ます。この方法で50〜60本の部材を自然に作ることが可能になります。
【００１４】
図１１にその他の作り方を示しました。仮に40本の毛束を作る場合の、3次毛を作ってつける方法を示しています。この場合には、2次毛にこれまで同様3次毛をつけていきます。これは枝分かれしたところに足していく作り方の為、時間と手間がかかるので大変ですが可能です。
【００１５】
１次毛に２次毛を付けるためには、他の方法も適用可能です。以上の実施例では、２次毛をつけるにあたって数珠の上下にストッパーを作りその間にサンドイッチ状態にしておりました。一方、１次毛と２次毛を図１２にしめしましたような固結び（８の字結び）することができます。このようにしますと、図１３に示しますような上下のストッパーが必要でなくなり、２次毛を固結び（８の字結び）することにより、図１４に示しますように、上下のストッパーが必要でなくなります。
【図面の簡単な説明】
【００１６】
【図１】１次毛の作成過程１（毛を曲げる）
【図２】１次毛の作成過程２（棒状部材を通す）
【図３】１次毛の作成過程２（リングを作成し、固結びをする）
【図４】４０本の増毛部材の製造途中の図
【図５】２０本および４０本の増毛部材の完成図
【図６】１次毛の作成過程３
【図７】２次毛の作成過程
【図８】１次毛に２次毛を付ける工程を示す図
【図９】１次毛に２次毛を付けた図１（複数の付け方）
【図１０】１次毛に２次毛を付けた図２
【図１１】２次毛に３次毛を付けた図
【図１２】固結び（８の字結び）の図
【図１３】固結び（８の字結び）を用いない場合の図
【図１４】固結び（８の字結び）を用いた場合の図
【図１５】従来方法による増毛方法
【産業上の利用可能性】
【００１７】
本発明により、増毛部材の製造、流通の分野に新規の市場を提供でき、産業上の利用可能性は大きいと言えます。
【符号の説明】
【００１８】
１  増毛部材
２  １次毛
２１  １次毛のリング部
２２  １次毛の固結び部
３    ２次毛
３１  ２次毛のリング部
３２  ２次毛の固結び部
４    棒状部材
５    ３次毛
【図１】
2015014075.tif 000003
【図２】
2015014075.tif 000004
【図３】
2015014075.tif 000005
【図４】
2015014075.tif 000006
【図５】
2015014075.tif 000007
【図６】
2015014075.tif 000008
【図７】
2015014075.tif 000009
【図８】
2015014075.tif 000010
【図９】
2015014075.tif 000011
【図１０】
2015014075.tif 000012
【図１１】
2015014075.tif 000013
【図１２】
2015014075.tif 000014
【図１３】
2015014075.tif 000015
【図１４】
2015014075.tif 000016
【図１５】
2015014075.tif 000017